(57)【要約】【課題】  情報提供者の利用形態に応じて適切な位置情報等の個別情報を提供することが可能な端末情報提供装置及び端末情報提供方法を提供する。【解決手段】  この端末情報提供装置１０は、携帯電話機２０１から、基地局情報と基地局情報の更新時刻情報とを含む第１位置検出情報と、無線ＬＡＮエリア情報と無線ＬＡＮエリア情報の更新時刻情報とを含む第２位置検出情報と、ＧＰＳ位置情報とＧＰＳ位置情報の更新時刻情報とを含む第３位置検出情報とを受信する情報受信部１０１と、第１〜第３位置検出情報を格納する位置検出情報格納部１０７と、携帯電話機２０２から要求信号を受信する要求信号受信部１０２と、位置検出情報格納部１０７に格納された第１〜第３位置検出情報の中から最新の更新時刻情報を含むものを選択する位置検出情報選択部１０３と、携帯電話機２０１の位置情報を携帯電話機２０２に送信する情報送信部１０６とを備える。【選択図】  図１
2005092746.tif 000002
【特許請求の範囲】
【請求項１】
情報を提供する者が使用する通信端末である情報提供者端末の位置情報を提供する端末情報提供装置であって、
情報提供者端末から、前記情報提供者端末を通信可能なエリア内に置く基地局を特定する基地局情報と前記基地局情報の更新時刻情報とを含む第１位置検出情報と、前記情報提供者端末が位置する無線ＬＡＮのエリアを特定する無線ＬＡＮエリア情報と前記無線ＬＡＮエリア情報の更新時刻情報とを含む第２位置検出情報と、ＧＰＳシステムにより得られた前記情報提供者端末の位置を表すＧＰＳ位置情報と前記ＧＰＳ位置情報の更新時刻情報とを含む第３位置検出情報とを受信する情報受信手段と、
前記情報受信手段により受信された前記第１〜第３位置検出情報を格納する位置検出情報格納手段と、
情報を要求する者が使用する通信端末である情報要求者端末から前記情報提供者端末の位置情報を要求するための要求信号を受信する要求信号受信手段と、
前記要求信号に応じて前記位置検出情報格納手段に格納された前記第１〜第３位置検出情報の中から最新の更新時刻情報を含むものを選択する位置検出情報選択手段と、
前記位置検出情報選択手段により選択された第１〜第３位置検出情報が示す前記情報提供者端末の位置情報を前記情報要求者端末に送信する情報送信手段と
を備える端末情報提供装置。
【請求項２】
前記基地局情報の前回の変更時から直近の変更時までの時間を表す移動時間情報と前記移動時間情報の更新時刻情報とを含む移動検出情報を格納する移動検出情報格納手段と、
前記要求信号に応じて前記移動検出情報格納手段に格納された最新の移動時間情報に基づいて前記情報提供者端末の移動状態を表す移動状態情報を生成する移動状態情報生成手段と
をさらに備え、
前記情報受信手段は、前記情報要求者端末から前記移動検出情報をさらに受信し、
前記情報送信手段は、前記移動状態情報生成手段により生成された移動状態情報を前記情報要求者端末にさらに送信する請求項１に記載の端末情報提供装置。
【請求項３】
前記情報提供者端末の動作状態を表す動作情報と前記動作情報の更新時刻情報とを含む動作検出情報を格納する動作検出情報格納手段と、
前記要求信号に応じて前記動作検出情報格納手段に格納された動作検出情報の中から最新の更新時刻情報を含むものを選択する動作検出情報選択手段と
をさらに備え、
前記情報受信手段は、前記情報要求者端末から前記動作検出情報をさらに受信し、
前記情報送信手段は、前記動作検出情報選択手段により選択された動作検出情報が示す前記情報提供者端末の動作情報を前記情報要求者端末にさらに送信する請求項１又は２に記載の端末情報提供装置。
【請求項４】
情報を提供する者が使用する通信端末である情報提供者端末の位置情報を提供するための端末情報提供方法であって、
情報受信手段が、情報提供者端末から、前記情報提供者端末を通信可能なエリア内に置く基地局を特定する基地局情報と前記基地局情報の更新時刻情報とを含む第１位置検出情報と、前記情報提供者端末が位置する無線ＬＡＮのエリアを特定する無線ＬＡＮエリア情報と前記無線ＬＡＮエリア情報の更新時刻情報とを含む第２位置検出情報と、ＧＰＳシステムにより得られた前記情報提供者端末の位置を表すＧＰＳ位置情報と前記ＧＰＳ位置情報の更新時刻情報とを含む第３位置検出情報とを受信する情報受信ステップと、
位置検出情報格納手段が、前記情報受信手段により受信された前記第１〜第３位置検出情報を格納する位置検出情報格納ステップと、
要求信号受信手段が、情報を要求する者が使用する通信端末である情報要求者端末から前記情報提供者端末の位置情報を要求するための要求信号を受信する要求信号受信ステップと、
位置検出情報選択手段が、前記要求信号に応じて前記位置検出情報格納手段に格納された前記第１〜第３位置検出情報の中から最新の更新時刻情報を含むものを選択する位置検出情報選択ステップと、
情報送信手段が、前記位置検出情報選択手段により選択された第１〜第３位置検出情報が示す前記情報提供者端末の位置情報を前記情報要求者端末に送信する情報送信ステップと
を備える端末情報提供方法。
【発明の詳細な説明】
【技術分野】
【０００１】
本発明は、端末情報提供装置及び端末情報提供方法に関するものである。
【背景技術】
【０００２】
移動通信端末の位置情報等の個別情報を第三者に提供するシステムの一例としては、サーバが情報提供者の移動通信端末の位置情報を受信し蓄積した後、情報要求者の移動通信端末に随時送信するというものがある（例えば、特許文献１参照。）。
【特許文献１】特開２００２−２７１８３７号公報
【発明の開示】
【発明が解決しようとする課題】
【０００３】
しかし、上記従来の技術では、サーバが単に情報提供者の移動通信端末の位置情報を受信し情報要求者の移動通信端末にそのまま送信するにとどまり、情報提供者の利用形態に応じて位置情報を提供することは実現されていなかった。特に、最近では、移動通信端末を無線ＬＡＮに接続する等の様々な利用形態が存在するが、そのような利用形態に関連付けられた位置情報の提供は行われていない。その結果、情報提供者の利用形態が刻々変化する場合に、情報要求者が取得した位置情報の利用価値が低下していた。
【０００４】
そこで、本発明では、情報提供者の利用形態に応じて適切な位置情報等の個別情報を提供することが可能な端末情報提供装置及び端末情報提供方法を提供することを目的とする。
【課題を解決するための手段】
【０００５】
本発明の端末情報提供装置は、情報を提供する者が使用する通信端末である情報提供者端末の位置情報を提供する端末情報提供装置であって、情報提供者端末から、情報提供者端末を通信可能なエリア内に置く基地局を特定する基地局情報と基地局情報の更新時刻情報とを含む第１位置検出情報と、情報提供者端末が位置する無線ＬＡＮのエリアを特定する無線ＬＡＮエリア情報と無線ＬＡＮエリア情報の更新時刻情報とを含む第２位置検出情報と、ＧＰＳシステムにより得られた情報提供者端末の位置を表すＧＰＳ位置情報とＧＰＳ位置情報の更新時刻情報とを含む第３位置検出情報とを受信する情報受信手段と、情報受信手段により受信された第１〜第３位置検出情報を格納する位置検出情報格納手段と、情報を要求する者が使用する通信端末である情報要求者端末から情報提供者端末の位置情報を要求するための要求信号を受信する要求信号受信手段と、要求信号に応じて位置検出情報格納手段に格納された第１〜第３位置検出情報の中から最新の更新時刻情報を含むものを選択する位置検出情報選択手段と、位置検出情報選択手段により選択された第１〜第３位置検出情報が示す情報提供者端末の位置情報を情報要求者端末に送信する情報送信手段とを備える。
【０００６】
また、本発明の端末情報提供方法は、情報を提供する者が使用する通信端末である情報提供者端末の位置情報を提供するための端末情報提供方法であって、情報受信手段が、情報提供者端末から、情報提供者端末を通信可能なエリア内に置く基地局を特定する基地局情報と基地局情報の更新時刻情報とを含む第１位置検出情報と、情報提供者端末が位置する無線ＬＡＮのエリアを特定する無線ＬＡＮエリア情報と無線ＬＡＮエリア情報の更新時刻情報とを含む第２位置検出情報と、ＧＰＳシステムにより得られた情報提供者端末の位置を表すＧＰＳ位置情報とＧＰＳ位置情報の更新時刻情報とを含む第３位置検出情報とを受信する情報受信ステップと、位置検出情報格納手段が、情報受信手段により受信された第１〜第３位置検出情報を格納する位置検出情報格納ステップと、要求信号受信手段が、情報を要求する者が使用する通信端末である情報要求者端末から情報提供者端末の位置情報を要求するための要求信号を受信する要求信号受信ステップと、位置検出情報選択手段が、要求信号に応じて位置検出情報格納手段に格納された第１〜第３位置検出情報の中から最新の更新時刻情報を含むものを選択する位置検出情報選択ステップと、情報送信手段が、位置検出情報選択手段により選択された第１〜第３位置検出情報が示す情報提供者端末の位置情報を情報要求者端末に送信する情報送信ステップとを備える。
【０００７】
本発明の端末情報提供装置及び端末情報提供方法によれば、情報受信手段が、情報提供者端末から基地局情報を含む第１位置検出情報と無線ＬＡＮエリア情報を含む第２位置検出情報とＧＰＳ位置情報を含む第３位置検出情報とを受信した後に位置検出情報格納手段に格納する。また、要求信号受信手段が、情報要求者端末から位置情報を要求する要求信号を受信し、位置検出情報選択手段がその要求信号に応じて位置検出情報格納手段に格納された第１〜第３位置検出情報から最新のものを選択し、情報送信手段が、情報提供者端末の位置情報を情報要求者端末に送信する。これにより、例えば、情報提供者端末が現在位置しているエリアが屋外である場合はＧＰＳ位置情報が利用され、屋内である場合は無線ＬＡＮエリア情報が利用される等のように、情報提供者端末の通信手段で取得しうる位置に関する情報が選択的に利用されるので、情報要求者は基地局情報と無線ＬＡＮエリア情報とＧＰＳ位置情報の中から情報提供者のエリアに応じて最適な位置情報を取得することができる。
【０００８】
本発明の端末情報提供装置では、基地局情報の前回の変更時から直近の変更時までの時間を表す移動時間情報と移動時間情報の更新時刻情報とを含む移動検出情報を格納する移動検出情報格納手段と、要求信号に応じて移動検出情報格納手段に格納された最新の移動時間情報に基づいて情報提供者端末の移動状態を表す移動状態情報を生成する移動状態情報生成手段とをさらに備え、情報受信手段は、情報要求者端末から移動検出情報をさらに受信し、情報送信手段は、移動状態情報生成手段により生成された移動状態情報を情報要求者端末にさらに送信することが好ましい。情報受信手段が、基地局情報の前回変更時から直近の変更時までの時間を表す移動時間情報を受信後に移動検出情報格納手段に格納し、情報要求者端末からの要求信号に応じて移動検出情報格納手段に格納された最新の移動時間情報に基づいて移動状態情報を生成し、情報送信手段がその移動状態情報を情報要求者端末に送信するので、情報要求者は情報提供者の通信端末の移動状態を容易に知ることができる。
【０００９】
また、本発明の端末情報提供装置では、情報提供者端末の動作状態を表す動作情報と動作情報の更新時刻情報とを含む動作検出情報を格納する動作検出情報格納手段と、要求信号に応じて動作検出情報格納手段に格納された動作検出情報の中から最新の更新時刻情報を含むものを選択する動作検出情報選択手段とをさらに備え、情報受信手段は、情報要求者端末から動作検出情報をさらに受信し、情報送信手段は、動作検出情報選択手段により選択された動作検出情報が示す情報提供者端末の動作情報を情報要求者端末にさらに送信することも好ましい。情報受信手段が、情報要求者端末の動作情報を受信後に動作検出情報格納手段に格納し、情報要求者端末からの要求信号に応じて動作検出情報格納手段に格納された最新の動作検出を選択し、情報送信手段が情報提供者端末の動作情報を情報要求者端末に送信するので、情報要求者は、例えば、「通話中」等の情報提供者の通信端末の動作状態を容易に知ることができる。
【発明の効果】
【００１０】
本発明の端末情報提供装置及び端末情報提供方法によれば、情報提供者端末から基地局情報を含む第１位置検出情報と無線ＬＡＮエリア情報を含む第２位置検出情報とＧＰＳ位置情報を含む第３位置検出情報とを受信した後に位置検出情報格納手段に格納する。また、情報要求者端末から位置情報を要求する要求信号を受信し、その要求信号に応じて位置検出情報格納手段に格納された第１〜第３位置検出情報から最新のものを選択し、情報提供者端末の位置情報を情報要求者端末に送信する。これにより、例えば、情報提供者端末が現在位置しているエリアが屋外である場合はＧＰＳ位置情報が利用され、屋内である場合は無線ＬＡＮエリア情報が利用される等のように、情報提供者端末の通信手段で取得しうる位置に関する情報が選択的に利用されるので、情報要求者は、基地局情報と無線ＬＡＮエリア情報とＧＰＳ位置情報の中から情報提供者のエリアに応じて最適な位置情報を取得することができる。その結果、情報提供者の利用形態に応じて適切な位置情報等の個別情報を提供することが可能な端末情報提供装置を提供することができる。
【発明を実施するための最良の形態】
【００１１】
本発明の実施形態にかかる端末情報提供システムについて図面を参照して説明する。なお、各図において、同一要素には同一符号を付して重複する説明を省略する。
【００１２】
図１は、本実施形態にかかる端末情報提供システムの構成図である。本実施形態にかかる端末情報提供システムは端末情報提供装置１０と、携帯電話機２０１、２０２とを含んで構成されている。
【００１３】
端末情報提供装置１０は、物理的には、ＣＰＵ（中央処理装置）、メモリ、マウスやキーボードなどの入力装置、ディスプレイなどの表示装置、ハードディスクなどの格納装置などを備えたコンピュータシステムとして構成されている。また、端末情報提供装置１０は、機能的な構成要素として、図１に示すように、情報受信部１０１（情報受信手段）と、要求信号受信部１０２（要求信号受信手段）と、位置検出情報選択部１０３（位置検出情報選択手段）と、移動状態情報生成部１０４（移動状態情報生成手段）と、動作検出情報選択部１０５（動作検出情報選択手段）と、情報送信部１０６（情報送信手段）と、位置検出情報格納部１０７（位置検出情報格納手段）と、移動検出情報格納部１０８（移動検出情報格納手段）と、動作検出情報格納部１０９（動作検出情報格納手段）とを備えて構成される。また、端末情報提供装置１０は、ネットワーク３０を通じて、携帯電話機２０１、２０２と情報の送受信が可能なように構成されている。
【００１４】
携帯電話機２０１、２０２は、音声通話と共にデータ通信も可能な情報通信端末である。以下本実施形態においては、携帯電話機２０１は、位置情報等の情報を提供しようとするユーザが使用する携帯電話機（情報提供者端末）であり、携帯電話機２０２は、情報を要求しようとするユーザが使用する携帯電話機（情報要求者端末）であるものとして説明する。
【００１５】
図２は、情報提供者端末である携帯電話機２０１の構成図である。基地局４０１は、携帯電話機２０１と無線信号の送受信を行うことにより、携帯電話機２０１をネットワーク３０に接続させるための装置である。基地局４０１は、その存在を携帯電話機２０１に検知させるための無線信号である報知情報を定期的に送信する。その報知情報には、基地局４０１を特定するための基地局コードを含んでいる。また、無線ＬＡＮ親局５０１は、携帯電話機２０１と無線信号の送受信を行うことにより、携帯電話機２０１を無線ＬＡＮ（図示せず）に接続させるための装置である。無線ＬＡＮ親局５０１は、その存在を携帯電話機２０１に検知させるための無線信号であるビーコン信号を定期的に送信する。そのビーコン信号には、無線ＬＡＮ親局５０１の属する無線ＬＡＮを特定するためのSSID（Service Set Identifier）と無線ＬＡＮ親局５０１を特定するためのBSSID（Basic Service Set Identifier）を含んでいる。
【００１６】
携帯電話機２０１は、構成要素として、移動体通信部６０１と、無線ＬＡＮ通信部６０２と、ＧＰＳ通信部６０３と、移動時間検出部６０４と、動作履歴格納部６０５と、情報登録部６０６とを含んでいる。移動体通信部６０１は、基地局４０１と無線通信を行う部分であり、この基地局４０１を介してネットワーク３０に接続することが可能となっている。無線ＬＡＮ通信部６０２は、無線ＬＡＮのアクセスポイント等の無線ＬＡＮ親局５０１と無線通信を行う部分である。また、ＧＰＳ通信部６０３は、ＧＰＳ信号を受信することによって携帯電話機２０１の位置する経度情報や緯度情報等のＧＰＳ位置情報を生成する部分である。なお、ＧＰＳ位置情報の生成は、公知の生成方法を用いて行うことができる。移動時間検出部６０４は、携帯電話機２０１が移動している場合に、ある基地局のセルから隣接する他の基地局のセルへ移動するのに要した時間である移動時間を検出して生成する部分である。また、動作履歴格納部６０５は、携帯電話機２０１の動作状態の履歴を格納する部分である。図３に、動作履歴格納部６０５に格納されたデータの一例を示す。図３に示すように、動作履歴格納部６０５には、携帯電話機２０１の動作状態を表すイベントコードが、そのイベントを検出した時刻を示すイベント検出時刻情報に関連づけて格納されている。この例によれば、時刻「2002/03/03 15:01:00」においてイベントコード「0010（発信操作）」が示す操作が行われ、時刻「2002/03/03 15:03:00」においてイベントコード「0020（切断操作）」が示す操作が行われたことを意味している。動作履歴格納部６０５には、このような動作状態の履歴が、一定期間あるいは一定件数まで格納できるようになっている。また、情報登録部６０６は、移動体通信部６０１を介して端末情報提供装置１０に対して、基地局コード（詳細は後述する。）等の情報を送信する部分である。
【００１７】
次に、図１を参照して、端末情報提供装置１０の各構成要素について詳細に説明する。
【００１８】
情報受信部１０１は、情報提供者端末である携帯電話機２０１から第１〜第３位置検出情報と移動検出情報と動作検出情報とを受信し、それぞれの情報を位置検出情報格納部１０７と移動検出情報格納部１０８と動作検出情報格納部１０９に格納する部分である。
【００１９】
第１〜第３位置検出情報は、利用形態に応じた携帯電話機２０１の位置を特定するための情報である。第１位置検出情報は、携帯電話機２０１を通信可能なエリア内に置く基地局を特定するための基地局コード（基地局情報）と、その基地局コードを含む報知情報を携帯電話機２０１が基地局４０１から受信した時刻である報知情報受信時刻情報（基地局情報の更新時刻情報）とを含んで構成されている。また、第２位置検出情報は、携帯電話機２０１が位置する無線LANのエリアを特定するための無線ＬＡＮのSSID（無線ＬＡＮエリア情報）と、SSIDを含むビーコン信号を携帯電話機２０１が無線ＬＡＮ親局５０１から受信した時刻であるビーコン受信時刻情報（無線ＬＡＮエリア情報の更新時刻情報）とを含んで構成されている。また、第３位置検出情報は、携帯電話機２０１のＧＰＳ受信部６０３（ＧＰＳシステム）により得られた携帯電話機２０１の位置を表すＧＰＳ位置情報と、ＧＰＳ信号を携帯電話機２０１が受信した時刻であるＧＰＳ信号受信時刻情報（ＧＰＳ位置情報の更新時刻情報）とを含んで構成されている。
【００２０】
移動検出情報は、携帯電話機２０１の移動状態を特定するための情報である。移動検出情報は、携帯電話機２０１が位置している基地局のセルから隣接する他の基地局のセルへの移動時間を表す移動時間情報と、その移動時間を検出した時刻である移動時間検出時刻情報（移動時間情報の更新時刻）とを含んで構成されている。
【００２１】
動作検出情報は、携帯電話機２０１の動作状態を特定するための情報である。動作検出情報は、携帯電話機２０１の動作状態を表すイベントコード（動作情報）と、そのイベントを検出した時刻を示すイベント検出時刻情報（動作情報の更新時刻情報）とを含んで構成されている。
【００２２】
図４は、位置検出情報格納部１０７に格納されたデータの構成を表す図である。図４に示すように、位置検出情報格納部１０７には、基地局コードと報知情報受信時刻情報と無線ＬＡＮのSSIDとビーコン受信時刻情報とＧＰＳ位置情報とＧＰＳ信号受信時刻情報とが情報提供者端末の電話番号である情報提供者端末特定情報に関連づけて格納されている。図４の例によれば、携帯電話機２０１（電話番号「０９０−ＸＸＸＸ−ＹＹＹＹ」）が、「2002/03/03 15:04:15」の示す時刻に、「ＢＳＸＸＸＸ」で特定される基地局から報知情報を受信したことを意味している。また、携帯電話機２０１は、「2002/03/03 14:00:00」の示す時刻に、「ＳＳＩＤＸＸ」で特定される無線ＬＡＮに属する無線ＬＡＮ親局５０１からビーコン信号を受信し、「2002/03/03 15:05:15」の示す時刻にＧＰＳ信号を受信し、そのＧＰＳ信号により「139°45′58″（経度情報），35°41′04″（緯度情報）」のＧＰＳ位置情報が生成されたことを意味している。
【００２３】
また、図５は、移動検出情報格納部１０８に格納されたデータの構成を表す図である。図５に示すように、移動検出情報格納部１０８には、移動時間情報と移動時間検出時刻情報とが情報提供者端末特定情報に関連づけて格納されている。図５の例によれば、携帯電話機２０１により、「2002/03/03 15:10:00」の示す時刻に、ある基地局のセルから隣接する他の基地局のセルへ移動するのに要した時間である移動時間「150sec」が検出されたことを意味している。
【００２４】
また、図６は、動作検出情報格納部１０８に格納されたデータの構成を表す図である。図６に示すように、動作検出情報格納部１０８には、イベントコードとイベント検出時刻情報とが情報提供者端末特定情報に関連づけて格納されている。図６の例によれば、携帯電話機２０１において、「2002/03/03 15:01:00」の示す時刻に、イベントコード「００１０」が示す発信操作が行われたことを意味している。
【００２５】
図１に戻って、要求信号受信部１０２は、携帯電話機２０２から、携帯電話機２０１に関する位置情報と移動状態情報と動作情報（いずれも、詳細は後述する。）とを要求するための要求信号を受信する部分である。要求信号には、情報要求者端末である携帯電話機２０２を特定するための電話番号「０９０−ＸＸＸＸ−ＺＺＺＺ」と、情報提供者端末である携帯電話機２０１を特定するための電話番号「０９０−ＸＸＸＸ−ＹＹＹＹ」と、希望時刻情報とを含む。要求信号受信部１０２は、要求信号受信後、携帯電話機２０２の電話番号と携帯電話機２０１の電話番号と希望時刻情報とを、位置検出情報選択部１０３、移動状態情報生成部１０４、及び動作検出情報選択部１０５に対して出力する。なお、希望時刻情報は、情報要求者が当該希望時刻情報によって特定される時刻における携帯電話機２０１の情報を取得するためのものである。
【００２６】
また、位置検出情報選択部１０３は、要求信号受信部１０２において受信された要求信号に応じて、希望位置検出情報格納部１０７に格納された携帯電話機２０１の第１〜第３位置検出情報のうちから最新の更新時刻情報を含むものを選択する部分である。図４の例によれば、報知情報受信時刻情報とビーコン受信時刻情報とＧＰＳ信号受信時刻情報とを比較し、ＧＰＳ信号受信時刻情報が最新であると判断された結果、ＧＰＳ位置情報である「139°45′58″（経度情報），35°41′04″（緯度情報）」を含む第３位置検出情報が選択される。位置検出情報選択部１０３は、要求信号に含まれる希望時刻情報によって特定される時刻において上記の選択処理を行う。図１に戻って、位置検出情報選択部１０３は、選択した第１〜第３位置検出情報を、携帯電話機２０２の電話番号とともに情報送信部１０６に対して出力する。
【００２７】
移動状態情報生成部１０４は、要求信号受信部１０２において受信された要求信号に応じて、携帯電話機２０１の移動状態を表す移動状態情報を生成する部分である。位置検出情報選択部１０４は、要求信号に含まれる希望時刻情報によって特定される時刻において上記の生成処理を行う。より詳細には、移動状態情報生成部１０４は、移動検出情報格納部１０８に格納された携帯電話機２０１に関する移動時間情報のうちから最新の移動時間検出時刻情報に対応するものを参照して、携帯電話機２０１の移動状態情報を生成する。移動状態情報は、例えば以下のようにして作成される。移動状態情報生成部１０４には、予め所定の閾値Ｔ１及びＴ２（Ｔ１＜Ｔ２）を設定しておく。移動状態情報生成部１０４は、これらの閾値と移動検出情報格納部１０８に格納された、最新の移動時間検出時刻情報に対応する移動時間情報Ｔ[sec]とを比較する。移動状態情報生成部１０４は、移動時間情報Ｔが、Ｔ＜Ｔ１である場合には移動状態情報を「走行中」と、Ｔ１≦Ｔ≦Ｔ２である場合には移動状態情報を「歩行中」と、Ｔ２＜Ｔである場合には移動状態情報を「停止中」として生成する。ここで、閾値Ｔ１、Ｔ２は、固定値であってもよいし、携帯電話機２０１が移動する前後において存在していたセルを形成する基地局間の距離に応じて可変値であっても良い。その後、移動状態情報生成部１０４は、生成した移動状態情報を、携帯電話機２０２の電話番号とともに情報送信部１０６に対して出力する。
【００２８】
動作検出情報選択部１０５は、要求信号受信部１０２において受信された要求信号に応じて、動作検出情報格納部１０９に格納された携帯電話機２０１の動作検出情報のうちから最新のイベント検出時刻情報を含むものを選択する部分である。図６の例によれば、携帯電話機２０１の複数の動作検出情報に含まれるイベント検出時刻情報を比較し、イベント検出時刻情報が最新である、イベントコード「００２０」を含む動作検出情報が選択される。動作検出情報選択部１０５は、要求信号に含まれる希望時刻情報によって特定される時刻において上記の選択処理を行う。図１に戻って、動作検出情報選択部１０５は、選択した動作検出情報を、携帯電話機２０２の電話番号とともに情報送信部１０６に対して出力する。
【００２９】
情報送信部１０６は、位置検出情報選択部１０３と移動状態情報生成部１０４と動作検出情報選択部１０５とから出力された情報を、情報要求者端末である携帯電話機２０２に送信する部分である。まず、情報送信部１０６は、位置検出情報選択部１０３から出力された第１〜第３位置検出情報が示す携帯電話機２０１の位置情報を得る。位置情報の取得は、第１〜第３位置検出情報から携帯電話機２０１の位置を表す文字情報である位置情報に変換することにより行う。例えば、位置検出情報選択部１０３により、基地局コード「ＢＳＸＸＸＸ」を含む第１位置検出情報が選択されると、その基地局コードで特定される場所である「○○ショッピングセンター付近」といった情報が位置情報として取得される。位置情報の取得は、基地局コードと位置情報との対応を表す変換テーブルを予め端末情報提供装置１０に格納しておき、この変換テーブルを参照することにより行われる。同様に、第２位置検出情報に含まれるSSIDと位置情報との対応を表す変換テーブルと、第３位置検出情報に含まれるＧＰＳ位置情報と位置情報との対応を表す変換テーブルも予め端末情報提供装置１０に格納しておく。
【００３０】
また、情報送信部１０６は、動作検出情報選択部１０５から出力された動作検出情報が示す携帯電話機２０１の動作情報を得る。動作情報の取得は、動作検出情報から携帯電話機２０１の動作状態を表す文字情報である動作情報に変換することにより行う。例えば、動作検出情報選択部１０５により、イベントコード「００１０」を含む動作検出情報が選択されると、そのイベントコードで特定される動作状態である「現在通話中」といった情報が動作情報として取得される。動作情報の取得は、イベントコードと動作情報との対応を表す変換テーブルを予め端末情報提供装置１０に格納しておき、この変換テーブルを参照することにより行われる。
【００３１】
情報送信部１０６は、上記のようにして得られた位置情報及び動作情報と、移動状態情報生成部１０４から出力された移動状態情報を携帯電話機２０２に送信する。
【００３２】
続いて、本実施形態にかかる端末情報提供システムの動作について説明し、併せて、本発明の実施形態にかかる端末情報提供方法について説明する。図７、図８は、本実施形態にかかる端末情報提供システムの動作を示す動作遷移図である。
【００３３】
まず、図７を参照して、情報提供者端末２０１から端末情報提供装置１０に情報が格納される場合の動作について説明する。
【００３４】
まず、携帯電話機２０１において移動体通信部６０１により、基地局４０１から送信される報知情報がサーチされ、報知情報の受信が可能であるかどうかが判定される（ステップＳ０１）。報知情報の受信が可能でないと判定された場合には（ステップＳ０１：ＮＯ）、処理をステップＳ１１に移行する。一方、報知情報の受信が可能であると判定された場合には（ステップＳ０１：ＹＥＳ）、基地局４０１から送信された報知情報が移動体通信部６０１により受信される（ステップＳ０２）。移動体通信部６０１により、報知情報の中から基地局４０１の基地局コードが抽出された後、報知情報受信時刻情報とともに情報登録部６０６に対して出力される。情報登録部６０６により、移動体通信部６０１を介して、その基地局コードと報知情報受信時刻情報と携帯電話機２０１の電話番号とが端末情報提供装置１０に対して送信される（ステップＳ０３）。これに対して、端末情報提供装置１０の情報受信部１０１により、基地局コードと報知情報受信時刻情報と携帯電話機２０１の電話番号とが受信される（ステップＳ０４）。その後、情報受信部１０１により、基地局コードと報知情報受信時刻情報とが携帯電話機２０１の電話番号に関連づけて位置検出情報格納部１０７に格納される（ステップＳ０５）。
【００３５】
基地局コードが送信された後、移動時間検出部６０４により、基地局のセルから隣接する他の基地局のセルへ移動するのに要した時間である移動時間が検出される。移動時間の検出は、以下のようにして行う。まず、基地局コードの前回変更された時刻情報と、前回受信された報知情報に含まれていた基地局コードとを携帯電話機２０１のメモリー等の記憶手段に保持しておく。そこで、今回受信された報知情報に含まれる基地局４０１の基地局コードと前回受信された報知情報に含まれていた基地局コードとが異なるかどうかが判定される（ステップＳ０６）。基地局コードが異なっている場合には、今回の報知情報受信時刻と基地局コードが前回変更された時刻との差分を算出する（ステップＳ０７）。この差分を移動時間情報として、移動時間検出時刻情報とともに情報登録部６０６に対して出力する。例えば、基地局コードの前回変更された時刻が「2002/03/03 00:00:00」である場合を想定する。この場合に、「2002/03/03 00:02:00」に受信された最新の報知情報に含まれる基地局コード「BSXXXX」が、前回受信された報知情報に含まれていた「BSYYYY」と異なっているとする。その場合には、それらの時刻の差分である移動時間情報「120[sec]」が、今回の報知情報受信時刻である移動時間検出時刻情報「2002/03/03 00:02:00」とともに生成される。一方、最新の報知情報に含まれる基地局コードが、前回受信された報知情報に含まれていた基地局コードと同じである場合には、移動時間情報は生成されない。生成された移動時間情報と移動時間検出時刻情報は、情報登録部６０６により、移動体通信部６０１を介して、携帯電話機２０１の電話番号とともに、端末情報提供装置１０に対して送信される（ステップＳ０８）。これに対して、端末情報提供装置１０の情報受信部１０１により、移動時間情報と移動時間検出時刻情報と携帯電話機２０１の電話番号とが受信される（ステップＳ０９）。その後、情報受信部１０１により、移動時間情報と移動時間検出時刻情報とが携帯電話機２０１の電話番号に関連づけて移動検出情報格納部１０８に格納される（ステップＳ１０）。
【００３６】
次に、携帯電話機２０１において無線ＬＡＮ通信部６０２により、無線ＬＡＮ親局５０１から送信されるビーコン信号がサーチされ、ビーコン信号の受信が可能であるかどうかが判定される（ステップＳ１１）。ビーコン信号の受信が可能でないと判定された場合には（ステップＳ１１：ＮＯ）、処理をステップＳ１６に移行する。一方、ビーコン信号の受信が可能であると判定された場合には（ステップＳ１１：ＹＥＳ）、無線ＬＡＮ親局５０１から送信されたビーコン信号が無線ＬＡＮ通信部６０２により受信される（ステップＳ１２）。無線ＬＡＮ通信部６０２により、ビーコン信号の中から無線ＬＡＮ親局５０１の属する無線ＬＡＮのSSIDが抽出された後、ビーコン受信時刻情報とともに情報登録部６０６に対して出力される。情報登録部６０６により、移動体通信部６０１を介して、そのSSIDとビーコン受信時刻情報と携帯電話機２０１の電話番号とが端末情報提供装置１０に対して送信される（ステップＳ１３）。これに対して、端末情報提供装置１０の情報受信部１０１により、SSIDとビーコン受信時刻情報と携帯電話機２０１の電話番号とが受信される（ステップＳ１４）。その後、情報受信部１０１により、SSIDとビーコン受信時刻情報とが携帯電話機２０１の電話番号に関連づけて位置検出情報格納部１０７に格納される（ステップＳ１５）。
【００３７】
次に、携帯電話機２０１においてＧＰＳ通信部６０３により、ＧＰＳ信号がサーチされ、ＧＰＳ信号の受信が可能であるかどうかが判定される（ステップＳ１６）。ＧＰＳ信号の受信が可能でないと判定された場合には（ステップＳ１６：ＮＯ）、処理をステップＳ２１に移行する。一方、ＧＰＳ信号の受信が可能であると判定された場合には（ステップＳ１６：ＹＥＳ）、ＧＰＳ信号がＧＰＳ通信部６０３により受信され、受信されたＧＰＳ信号に基づいてＧＰＳ位置情報が生成される（ステップＳ１７）。その後、生成されたＧＰＳ位置情報がＧＰＳ信号受信時刻情報とともに情報登録部６０６に対して出力される。情報登録部６０６により、移動体通信部６０１を介して、そのＧＰＳ位置情報とＧＰＳ信号受信時刻情報と携帯電話機２０１の電話番号とが端末情報提供装置１０に対して送信される（ステップＳ１８）。これに対して、端末情報提供装置１０の情報受信部１０１により、ＧＰＳ位置情報とＧＰＳ信号受信時刻情報と携帯電話機２０１の電話番号とが受信される（ステップＳ１９）。その後、情報受信部１０１により、ＧＰＳ位置情報とＧＰＳ信号受信時刻情報とが携帯電話機２０１の電話番号に関連づけて位置検出情報格納部１０７に格納される（ステップＳ２０）。
【００３８】
最後に、携帯電話機２０１の情報登録部６０６により動作履歴格納部６０５が検索され、過去に端末情報提供装置１０に送信されていない動作状態の履歴が取得される（ステップＳ２１）。情報登録部６０６により、移動体通信部６０１を介して、それらの履歴に含まれるイベントコードとイベント検出時刻情報と携帯電話機２０１の電話番号とが端末情報提供装置１０に対して送信される（ステップＳ２２）。これに対して、端末情報提供装置１０の情報受信部１０１により、イベントコードとイベント検出時刻情報と携帯電話機２０１の電話番号とが受信される（ステップＳ２３）。その後、情報受信部１０１により、イベントコードとイベント検出時刻情報とが携帯電話機２０１の電話番号に関連づけて動作検出情報格納部１０９に格納される（ステップＳ２４）。
以上の動作（ステップＳ０１〜Ｓ２４）は、タイマーを用いることにより、定められた周期で繰り返し行われる。
【００３９】
次に、図８を参照して、情報要求者端末２０２から端末情報提供装置１０に対して情報が要求される場合の動作について説明する。
【００４０】
まず、情報要求者端末である携帯電話機２０２により、携帯電話機２０１に関する位置情報と移動状態情報と動作情報を要求するための要求信号が送信される（ステップＳ２５）。この要求信号は、端末情報提供装置１０の要求信号受信部１０２により受信される（ステップＳ２６）。要求信号が受信された後、その要求信号に含まれる希望時刻情報によって特定される時刻になると、位置検出情報選択部１０３により位置検出情報格納部１０７に格納された第１〜第３位置検出情報の中から最新のものが選択される（ステップＳ２７）。また、同時に、移動状態情報生成部１０４により、移動検出情報格納部１０８が参照され、移動状態情報が生成される（ステップＳ２８）。また、これと同時に、動作検出情報選択部１０５により、動作検出情報格納部１０９に格納された動作検出情報の中から最新のものが選択される（ステップＳ２９）。
【００４１】
情報送信部１０６により、上記のようにして選択された第１〜第３位置検出情報及び動作検出情報に基づいて、携帯電話機２０１の位置情報と動作情報が取得される（ステップＳ３０）。そして、情報送信部１０６により、携帯電話機２０１の位置情報と移動状態情報と動作情報が携帯電話機２０２に送信される（ステップＳ３１）。
【００４２】
最後に、受信された位置情報と移動状態情報と動作情報は、携帯電話機２０２において、ディスプレイ等の表示装置において表示される（ステップＳ３２）。図９は、携帯電話機２０２のディスプレイに表示された情報の一例を示す図である。図９に示すように、携帯電話機２０２において、携帯電話機２０１の移動状態情報が「ステータス」として、携帯電話機２０１の位置情報が「場所」として、動作情報に加えて表示される。
【００４３】
本実施形態においては、情報受信部１０１が、携帯電話機２０１から基地局コードを含む第１位置検出情報とSSIDを含む第２位置検出情報とＧＰＳ位置情報を含む第３位置検出情報とを受信した後に位置検出情報格納部１０７に格納する。また、要求信号受信部１０２が、携帯電話機２０２から位置情報を要求する要求信号を受信し、位置検出情報選択部１０３がその要求信号に応じて位置検出情報格納部１０７に格納された第１〜第３位置検出情報から最新のものを選択し、情報送信部１０６が、携帯電話機２０１の位置情報を携帯電話機２０２に送信する。これにより、例えば、情報提供者端末が現在位置しているエリアが屋外である場合はＧＰＳ位置情報が利用され、屋内である場合は無線ＬＡＮエリア情報が利用される等のように、情報提供者端末の通信手段で取得しうる位置に関する情報が選択的に利用されるので、情報要求者は、基地局情報と無線ＬＡＮエリア情報とＧＰＳ位置情報の中から情報提供者のエリアに応じて最適な位置情報を取得することができる。
【００４４】
本実施形態にかかる端末情報提供システムにおいては、携帯電話機２０１が定期的に、第１〜第３位置検出情報を生成していたが、これは、携帯電話機２０１が、基地局４０１の報知情報又は無線ＬＡＮのビーコン信号又はＧＰＳ信号を常にサーチしておき、これらが受信可能となった時点で、第１〜第３位置検出情報を生成して端末情報提供装置１０に送信しても良い。これにより、より迅速に情報要求者に位置情報を提供することが可能になる。
【００４５】
本実施形態にかかる端末情報提供システムにおいては、位置検出情報選択部１０３、動作状態情報生成部１０４、及び動作検出情報選択部１０５は、要求信号に含まれる希望時刻情報によって特定される時刻にその要求信号に対する処理を開始していたが、これは、予め登録された情報要求者の携帯電話機に対して、予め登録された送信希望時刻において処理するようにしても良い。
【００４６】
本実施形態にかかる端末情報提供システムにおいては、携帯電話機２０１の位置を特定する無線ＬＡＮエリア情報として無線ＬＡＮを特定する情報であるSSIDを利用していたが、これは、無線ＬＡＮ親機５０１を特定する情報であるBSSIDを利用しても良い。
【００４７】
本実施形態にかかる端末情報提供システムにおいては、情報要求者端末及び情報提供者端末として携帯電話機２０１、２０２を使用していたが、これは、ＰＤＡ、ＰＨＳ、パーソナルコンピュータ等を使用しても良い。
【図面の簡単な説明】
【００４８】
【図１】本発明の実施形態である端末情報提供システムの構成図である。
【図２】本発明の実施形態である情報提供者端末の構成図である。
【図３】図２の動作履歴格納部に格納されたデータの構成図である。
【図４】図１の位置検出情報格納部に格納されたデータの構成図である。
【図５】図１の移動検出情報格納部に格納されたデータの構成図である。
【図６】図１の動作検出情報格納部に格納されたデータの構成図である。
【図７】本実施形態にかかる端末情報提供システムの動作を示す動作遷移図である。
【図８】本実施形態にかかる端末情報提供システムの動作を示す動作遷移図である。
【図９】本実施形態における情報要求者端末において表示される画面の構成図である。
【符号の説明】
【００４９】
１０…端末情報提供装置、１０１…情報受信部、１０２…要求信号受信部、１０３…位置検出情報選択部、１０４…移動状態情報生成部、１０５…動作検出情報選択部、１０６…情報送信部、１０７…位置検出情報格納部、１０８…移動検出情報格納部、１０９…動作検出情報格納部、２０１、２０２…携帯電話機、３０…ネットワーク。
【図１】
2005092746.tif 000003
【図２】
2005092746.tif 000004
【図３】
2005092746.tif 000005
【図４】
2005092746.tif 000006
【図５】
2005092746.tif 000007
【図６】
2005092746.tif 000008
【図７】
2005092746.tif 000009
【図８】
2005092746.tif 000010
【図９】
2005092746.tif 000011